(57)【要約】【課題】可視磁気カードの表示機能と感熱層を使用したリライトカードの表示機能を併せ持つ複合表示カード及びその処理装置を提供する。【解決手段】透明な感熱層３で形成される透視可能な窓部１２ａを有し、密閉空間部１２に移動自在に封入した磁性粒子１３を磁気作用により配列して書換え可能な情報を表示して窓１２ａを介して表示情報が視認可能な情報表示部２と、熱エネルギに感応して発色状態と消色状態に可逆的に変化するロイコ染料を利用して表示情報の印刷が可能な感熱層３とを備える複合表示カード１とした。また、情報表示部２への磁気処理と感熱層３への感熱処理が１台でできる処理装置とした。【選択図】  図１
2004192249.tif 000002
【特許請求の範囲】
【請求項１】
透視可能な窓部を有する密閉空間部内に移動自在に封入した磁性粒子を磁気作用により配列して書換え可能な情報を表示し、前記窓部を介して表示情報が視認可能な情報表示部と、
熱エネルギに感応して発色状態と消色状態に可逆的に変化する可逆性感熱材で形成され表示情報の印刷が可能な感熱層と、
を備えることを特徴とする複合表示カード。
【請求項２】
前記磁性粒子に磁気作用を及ぼす磁気媒体層と透明な前記感熱層の間に、孔部を有する基材層を設け、前記磁気媒体層と前記感熱層により前記孔部を密閉して前記密閉空間部を形成し、前記感熱層が前記透視可能な窓部を兼ねる構成である請求項１に記載の複合表示カード。
【請求項３】
前記磁気媒体層は、ベース層を挟んで両側に磁気層を有する構成である請求項２に記載の複合表示カード。
【請求項４】
請求項１〜３のいずれか１つに記載の複合表示カードを処理する複合表示カード処理装置であって、
カード搬送路途中に配置されてカードに対する磁気データの書込み／読出し処理及び前記情報表示部に対する表示情報の書込み及び書換え処理を行う磁気処理部と、
同じくカード搬送路途中に配置されて熱エネルギを発生して前記感熱層に対する表示情報の印刷を行う感熱処理部と、
カード搬送路に沿って複数配置されカードの搬送位置を検出する複数のカード位置検出部と、
該複数のカード位置検出部の各検出信号に基づいてカードの搬送方向、前記磁気処理部の磁気処理及び前記感熱処理部の印刷処理を制御する制御部と、
を備えて構成したことを特徴とする複合表示カード処理装置。
【請求項５】
前記制御部は、前記磁気処理部の磁気処理を前記感熱処理部の印刷処理より先に実行する構成である請求項４に記載の複合表示カード処理装置。
【請求項６】
前記制御部は、前記感熱層の有無情報に基づいて前記感熱処理部の印刷処理を実行するか否かを選択する構成である請求項４又は５に記載の複合表示カード処理装置。
【請求項７】
前記感熱層の有無情報は、予めカードに磁気データとして書込むようにした請求項６に記載の複合表示カード処理装置。
【請求項８】
前記感熱層の印刷可能領域と該印刷領域内の前記情報表示部領域とを予め記憶させ、前記制御部は、前記各領域情報に基づき情報表示部領域を除いて前記印刷可能領域に印刷処理するよう前記感熱処理部を制御する請求項４〜７のいずれか１つに記載の複合表示カード処理装置。
【発明の詳細な説明】
【０００１】
【発明の属する技術分野】
本発明は、ポイントカード、プリペードカード等に好適な表示情報の書換えが可能な複合表示カード及びその処理装置に関し、特に、書換え頻度の高い表示情報と書換える必要の無い或いは書換え頻度の低い表示情報を異なる表示形態とすることで、カード寿命を向上し、書換え処理時間を短縮できる複合表示カード及びその処理装置に関する。
【０００２】
【従来の技術】
従来、ポイントカード、プリペードカード等に好適な表示情報の書換えが可能なカードとして、例えば、磁気作用を利用して情報を書換え表示する可視磁気カードがある。
【０００３】
可視磁気カードは、透視可能な窓部を有する密閉空間部内に移動自在に磁性粒子を封入した情報表示部を有し、窓部と反対側のカード裏面側に設けた磁気層に磁気ヘッドで表示情報に対応するパターンを書込む。すると、磁性粒子が表示パターンに沿って配列し、磁性粒子の配列状態により窓部を通して情報を視認できる（例えば、特許文献１参照）。
【０００４】
【特許文献１】
特開平７−２９０８６８号公報
【０００５】
【発明が解決しようとする課題】
しかしながら、可視磁気カードは、表示情報を磁気ヘッドで書込むため、表現できる文字種が、英数字、カタカナに限られ漢字やひらがなは表現できない。また、表示できる文字数も最大１６文字であり、表示できる情報量が少ない。
【０００６】
尚、近年、ロイコ染料を用いた可逆性感熱材で形成した感熱層を使用し、感熱層に印刷した表示情報を書換えられるようなリライトカードが実用化されている。しかし、リライトカードの場合、表現できる文字種や表示情報量は多いが、書換え可能な回数や書換えに要する処理時間の点で、可視磁気カードに比較して劣っている。
【０００７】
本発明は上記問題点に着目してなされたもので、可視磁気カードの表示機能と感熱層を使用したリライトカードの表示機能を併せ持つ複合表示カードを提供することを目的とする。また、この複合表示カードの処理装置を提供することを目的とする。
【０００８】
【課題を解決するための手段】
このため、請求項１の発明の複合表示カードは、透視可能な窓部を有する密閉空間部内に移動自在に封入した磁性粒子を磁気作用により配列して書換え可能な情報を表示し、前記窓部を介して表示情報が視認可能な情報表示部と、熱エネルギに感応して発色状態と消色状態に可逆的に変化する可逆性感熱材で形成され表示情報の印刷が可能な感熱層とを備える構成とした。
【０００９】
かかる構成では、密閉空間部の磁性粒子を磁気作用により配列して情報を表示する情報表示部に、書換え頻度の高い表示情報を表示し、熱エネルギにより情報を印刷表示する感熱層に、書換える必要のない固定情報或いは書換え頻度の低い表示情報を表示する。これにより、表示情報の書換えは、主に書換え処理時間が短く書換えの耐用回数の多い磁気作用を利用する情報表示部側で行い、情報表示部では表現できない漢字やひらがなによる情報の表示は感熱層側で行えるようになる。
【００１０】
請求項２のように、前記磁性粒子に磁気作用を及ぼす磁気媒体層と透明な前記感熱層の間に、孔部を有する基材層を設け、前記磁気媒体層と前記感熱層により前記孔部を密閉して前記密閉空間部を形成し、前記感熱層が前記透視可能な窓部を兼ねる構成とするとよい。
【００１１】
かかる構成では、感熱層の積層と同時に密閉空間部の透視用窓部が形成でき、密閉空間部の窓部を別途形成する工程を省略できるようになる。
請求項３のように、前記磁気媒体層は、ベース層を挟んで両側に磁気層を有する構成とするとよい。
【００１２】
かかる構成では、磁性粒子の付着力を強くできるようになる。
請求項４の発明の複合表示カード処理装置は、カード搬送路途中に配置されてカードに対する磁気データの書込み／読出し処理及び前記情報表示部に対する表示情報の書込み及び書換え処理を行う磁気処理部と、同じくカード搬送路途中に配置されて熱エネルギを発生して前記感熱層に対する表示情報の印刷を行う感熱処理部と、カード搬送路に沿って複数配置されカードの搬送位置を検出する複数のカード位置検出部と、該複数のカード位置検出部の各検出信号に基づいてカードの搬送方向、前記磁気処理部の磁気処理及び前記感熱処理部の印刷処理を制御する制御部とを備えて構成した。
【００１３】
かかる構成では、カード位置検出部は、搬送中のカード位置を検出する。制御部は、カード位置検出部からの各検出信号に基づきカードが磁気処理部を通過する際に、磁気処理部による磁気処理を制御してカードに対して磁気データの書込み／読出し処理と情報表示部に対して表示情報の書込み及び書換え処理を行う。また、カードが感熱処理部を通過する際に、感熱処理部の印刷処理を制御して感熱層に対して表示情報の印刷を行う。
【００１４】
請求項５のように、前記制御部は、前記磁気処理部の磁気処理を前記感熱処理部の印刷処理より先に実行する構成とするとよい。
かかる構成では、新しいカードを発行する際に、磁気データの書込み不良が発生してカードを回収する場合に、磁気データの消去処理だけで済み、感熱層に対する印刷情報の消去処理を行わなくて済むようになる。
【００１５】
請求項６のように、前記制御部は、前記感熱層の有無情報に基づいて前記感熱処理部の印刷処理を実行するか否かを選択する構成とするとよい。この場合、請求項７のように、前記感熱層の有無情報は、予めカードに磁気データとして書込むようにするとよい。
【００１６】
請求項８のように、前記感熱層の印刷可能領域と該印刷領域内の前記情報表示部領域とを予め記憶させ、前記制御部は、前記各領域情報に基づき情報表示部領域を除いて前記印刷可能領域に印刷処理するよう前記感熱処理部を制御するようにするとよい。
【００１７】
【発明の実施の形態】
以下、本発明の実施形態を図面に基づいて説明する。
図１は、本発明に係る複合表示カードの一実施形態を示す外観図である。
【００１８】
図１において、本実施形態の複合表示カード１は、磁気作用により磁性粒子を配列して書換え可能な可視情報を表示する情報表示部２と、熱エネルギに感応して発色状態と消色状態に可逆的に変化する可逆性感熱材で形成されて可視情報の印刷が可能な感熱層３と、をカード表面側に備える。
【００１９】
前記複合表示カード１は、図２に示すように、例えばカード表面側から前述の感熱層３、表面印刷層４、接着剤層５、コア層フィルム６、接着剤層７及び磁気媒体層８の積層構造になっている。
【００２０】
前記感熱層３は、例えばロイコ染料と顕減色剤が分散した透視可能な透明フィルムからなり、加熱後急冷するとロイコ染料と顕減色剤が結合して発色状態となり、加熱後徐冷するとロイコ染料と顕減色剤の結合が解けて消色状態となる。この発色状態と消色状態とに可逆的に変化させることで、表示情報の書換えが可能になっている。感熱層３は漢字、ひらがな等も印刷できるので、図１に示すように、例えば、発行Ｎｏ．、発行日、氏名等を印刷する。
【００２１】
表面印刷層４は、透明な感熱層３を通して視認されるカード表面のデザインとなる絵柄等を印刷する通常の印刷層である。
コア層フィルム６は、カードの基材層となるもので、例えばＰＥＴ（ポリエチレン・テレフタレート）等で形成される。このコア層フィルム６の略中央部には孔部６ａが形成され、この孔部６ａの上下が感熱層３と磁気媒体層８で密閉されて密閉空間部１２が形成されている。密閉空間部１２内には磁性粒子１３が移動自在に封入され前記情報表示部２が形成されている。本実施形態では、感熱層３の積層工程により、密閉空間部１２の透視可能な窓部１２ａが同時に形成されるので、製造が容易である。尚、感熱層３は、必ずしも透明である必要はなく、透視可能であれば不透明でもよく着色されていてもよい。
【００２２】
前記磁気媒体層８は、情報表示部２の磁性粒子１３に磁気作用を及ぼすためのもので、ベース層であるベースフィルム１０を挟んで両側に磁気層９，１１を有する。このように、磁気媒体層８に２つの磁気層９，１１を設けることで、一方の磁気層９が磁性粒子１３に接するため、磁性粒子１３を強く付着でき、磁性粒子１３の配列状態の視認性が向上し情報表示部２の表示情報の視認性が向上する。また、磁気層９は、ベースフィルム９と磁気層１１が存在するため外部の磁石等の影響を受け難く、表示情報が消される可能性も少なくなる。
【００２３】
１４は、磁性粒子１３による表示情報を見易くするために磁気層９上に形成した極めて薄い白色或いはシルバー色の印刷層である。尚、磁気層１１の図中下側表面には保護層（図示せず）が設けられている。
【００２４】
かかる複合表示カード１を、例えばポイントカードに使用する場合は、例えば発行Ｎｏ．、発行日及び名前等の通常書換えが必要ない半固定情報を発行時に感熱層３に印刷し、利用日や累計ポイント等の書換え頻度の高い可変情報を情報表示部２で表示するようにする。
【００２５】
このように、感熱層３に比べて書換え耐用回数に優れ、書換え処理も速い、磁気作用を利用して情報を表示する情報表示部２に書換え頻度の高い表示情報を書込むことにより、書換えの耐用回数が従来の感熱層だけのリライトカードの２００〜３００回に比べて１０００回以上可能となり、カードの使用寿命を向上でき省資源化を図れると共に、書換え処理時間も短縮できる。また、感熱層３も備えることにより、情報表示部２だけの従来の可視磁気カードでは表示できなかった漢字やひらがなによる表示も可能となるので、表示できる情報量が大幅に増大する。更に、本発明の複合表示カード１のような多層構造のカードの場合、製造工程において加圧、加熱する工程があり、この加圧、加熱工程において感熱層が発色することが考えられる。しかし、ロイコ染料を使用した感熱層３であれば、加圧、加熱工程後は徐冷であり感熱層３の消色条件であるため、感熱層３が発色したとしても製造後には感熱層３が消色状態となり、カード製造上、何ら問題はない。
【００２６】
次に、上述の複合表示カードを処理するための本発明の複合表示カード処理装置について説明する。
図３は、本発明に係る複合表示カード処理装置の一実施形態の構成を示すブロック図であり、図４は、処理装置の搬送部の概略図である。
【００２７】
図３及び図４において、本実施形態の複合表示カード処理装置２０は、カードに対して、情報の書込み／読出し、書換え又は消去するもので、図３の示すように、制御部２１と、磁気処理部２２と、感熱処理部２３と、カード位置検出部２４と、カード搬送部２５と、入力装置２６と、記憶部２７とを含んで構成される。
【００２８】
制御部２１は、中央処理装置とメモリ等を備えるコンピュータで構成され、メモリに記憶されたプログラムに基づいて、カード位置検出部２４からの検出信号や記憶部２７に記憶された記憶情報等により、磁気処理部２２と感熱処理部２３の処理動作やカード搬送部２５の搬送動作を制御する。
【００２９】
磁気処理部２２は、磁気媒体層８の情報表示部２裏面部分に表示情報のパターンを書込むための第１磁気ヘッド２２Ａと、情報表示部２裏面部分に書込まれた表示情報パターンを消去するための第２磁気ヘッド２２Ｂと、カードに対する磁気データの書込み／読出しを行う第３磁気ヘッド２Ｃとを備える。これら第１〜第３磁気ヘッド２２Ａ〜２２Ｃは、図４に示すようにカード搬送路３０途中に配置され、第１磁気ヘッド２２Ａと第２磁気ヘッド２２Ｂは、カード搬送方向に沿って直列に配置され、第３磁気ヘッド２２Ｃは、カード搬送方向に対して直角方向に第２磁気ヘッド２Ｂと並列に配置されている。尚、図４において、第２磁気ヘッド２２Ｂは第３磁気ヘッド２２Ｃの紙面向こう側に位置する。
【００３０】
感熱処理部２３は、図４に示すようにカード搬送路３０途中に配置され、カード搬送方向と直角方向に多数配列された発熱体への熱エネルギの供給を制御して感熱層３に対して表示情報を印字、消去及び書換える例えばサーマルヘッド２３Ａを備えて構成される。
【００３１】
カード位置検出部２４は、図４に破線で示すように、カード搬送路３０に沿って適所に設けられた例えば６個の光センサ２４ａ〜２４ｆで構成される。
カード搬送部２５は、図４に示すように、カード搬送路３０上側に設けられた加圧ローラ２５ａと、カード搬送路３０下側に設けられた搬送ローラ２５ｂと、同じくカード搬送路３０下側に設けられたプラテンローラ２５ｃと、搬送ローラ２５ｂ及びプラテンローラ２５ｃを駆動するモータ２５ｄとを備えて構成される。
【００３２】
記憶部２７は、入力装置２６から入力される個人情報等の各種データを記憶するものである。
次に、本実施形態の処理装置２０の処理動作について図５、図７、図８のフローチャートを参照して説明する。
【００３３】
図５は、新たにカードを発行する場合の動作例を示し、情報表示部２に対する表示情報の書込みを先に行う場合である。
ステップ１（図中Ｓ１で示し、以下同様とする）では、図４の矢印Ａ方向からカードが挿入され光センサ２４ａがカードを検出すると、光センサ２４ａからカード検出信号が出力されてカードの挿入が検知される。これにより、制御部２１からカード搬送部２５に駆動出力が出力されてモータ２５ｄが駆動し、搬送ローラ２５ｂの回転により搬送ベルトが駆動しカードが搬送される。
【００３４】
ステップ２では、入力装置２６で入力した所定の磁気データのカードに対する書込み処理が実行される。この書込み処理は、カードを光センサ２４ｄの位置まで搬送し、光センサ２４ｄがカードを検出すると制御部２１はモータ２５ｄを逆回転制御し図４中右方向にカードを搬送する。そして、制御部２１は光センサ２４ｃのカード検出信号に基づいてデータの書込みタイミングを制御し第３磁気ヘッド２２Ｃによりカードに磁気データを書込む。
【００３５】
ステップ３では、磁気データが正常に書込まれたか否かを確認する。この確認処理は、カードを光センサ２４ａの位置まで搬送し、光センサ２４ａがカードを検出すると制御部２１はモータ２５ｄを再度逆回転させ図４中左方向（矢印Ａと同方向）にカードを搬送し、光センサ２４ｂのカード検出信号に基づいてデータの読込みタイミングを制御し第３磁気ヘッド２２Ｃにより磁気データを読込み、確認する。正常であればステップ４に進み、異常であればステップ７に進む。
【００３６】
ステップ４では、情報表示部２に表示する情報パターンの書込み処理が実行される。この処理は、カードを光センサ２４ｄの位置まで搬送し、モータ２５ｄを逆回転させてカードを逆送し、光センサ２４ｃのカード検出信号に基づいてデータの書込みタイミングを制御し第１磁気ヘッド２２Ａにより情報表示部２の裏面側の磁気媒体層８部分に情報パターンを書込む。
【００３７】
ステップ５では、カード表面の感熱層３に対する表示情報の印刷処理を実行する。この処理は、光センサ２４ｄのカード検出出力に基づいて印刷タイミングを制御し、サーマルヘッド２３Ａを駆動制御して感熱層３に対して所定の表示情報を印刷する。この場合、例えば図６に示すように、予め記憶部２７に、感熱層３の印刷可能領域（０，０）〜（Ｘｎ，Ｙｎ）と情報表示部２に相当する領域（Ｘａ，Ｙａ）〜（Ｘｂ，Ｙｂ）を記憶させ、印刷可能領域（０，０）〜（Ｘｎ，Ｙｎ）から領域（Ｘａ，Ｙａ）〜（Ｘｂ，Ｙｂ）を除いた領域に印刷する文字や絵柄等を設定する。これらの記憶情報に基づいて制御部２１はサーマルヘッド２３Ａを発熱制御して感熱層３への印刷を行う。
【００３８】
ステップ６では、カードを返却する。これは、感熱処理により印刷が終了するとカードを光センサ２４ｆの位置まで搬送し、光センサ２４ｆがカードを検出するとモータ２５ｄを逆回転駆動してカードを返却する。
【００３９】
一方、ステップ３でＮＧと判定されステップ７に進んだ場合は、再度、磁気データの書込み処理を実行し、磁気データの書込みが正常と確認されればステップ４に進む。磁気データの書込み処理のリトライ動作を予め設定した所定回数行っても書込み正常が確認されなかったときは、ステップ８に進む。
【００４０】
ステップ８では、磁気データの消去処理を実行する。これは、書込みデータの確認処理後にＮＧと判定されると光センサ２４ｄの位置までカードを搬送し、光センサ２４ｄがカードを検出してモータ２５ｄを逆転しカードを返却する際に、光センサ２４ｃのカード検出信号に基づいて第３磁気ヘッド２２Ｃにより磁気データを消去する。
【００４１】
図７は、新たにカードを発行する場合の別の動作例を示し、感熱層３に対する印刷処理を先に実行する場合である。
ステップ１１は、図５のステップ１と同様である。
【００４２】
ステップ１２では、カード表面の感熱層３に対する表示情報の印刷処理を実行する。この場合、ステップ１でカード挿入が検知されカードが搬送されて光センサ２４ｄがカードを検出すると、図５のステップ５と同様にして制御部２１はサーマルヘッド２３Ａを発熱制御して感熱層３への印刷を行う。その後、光センサ２４ｆがカードを検出するとモータ２５ｄを逆回転駆動してカードを図４中右方向に搬送する。
【００４３】
ステップ１３では、磁気データの書込み処理が実行される。この書込み処理は、印刷処理後に図４中右方向に搬送されるカードが光センサ２４ｃで検出されると、図５のステップ２と同様にして第３磁気ヘッド２２Ｃによりカードに磁気データを書込む。
【００４４】
以後、ステップ１４〜１８では、図５のステップ３〜８（ただしステップ５を除く）と同様の動作が実行される。尚、図７において、ステップ１６では、ステップ１５の情報表示部２へのデータ書込み終了後に光センサ２４ｄでカードが検出されたときに、モータ２５ｄを逆回転駆動してカードを返却する。また、ステップ１８では、磁気データの消去処理に加えて感熱層３の消去処理も実行する。この場合、ステップ１７でＮＧと判定された後に光センサ２４ｄでカードを検出すると、サーマルヘッド２３Ａによる印刷情報の消去処理を実行し、光センサ２４ｆでカードを検出してモータ２５ｄを逆回転制御して返却する途中で、光センサ２４ｃのカード検出信号に基づいて第３磁気ヘッド２２Ｃにより磁気データを消去し、そのままカードを返却するようになる。
【００４５】
図８は、発行済みのカードを処理する場合の動作例を示す。
ステップ２１は図５のステップ１と同様である。
ステップ２２は、挿入カードの磁気データの読取りを確認する。この処理は、搬送カードが光センサ２４ｂで検出されると、光センサ２４ｂの検出出力に基づいて制御部２１は読取りタイミングを制御し第３磁気ヘッド２２Ｃにより磁気データを読込み、確認する。正常であればステップ２３に進み、異常であればステップ３１に進み、再度、読込みを実行し、予め設定された所定回数以内に正常判定が得られればステップ２３に進む。
【００４６】
ステップ２３〜２５、３２の動作は、図５のステップ２〜４、７と同様であり説明を省略する。
ステップ２６では、カードは感熱層３を有するか否かを判定する。これは、ステップ２２で読込んだ磁気データに基づいて判定する。このように、感熱層３の有無を示すデータをカード発行時に予め磁気データとして記憶させておけば、カードを挿入するだけで印刷処理が必要か否かを判断でき、感熱層３を備えるカードと情報表示部２だけのカードが混在する状況でもデータ書換え処理操作が簡単である。感熱層有りと判定された場合は、ステップ２７に進む。
【００４７】
ステップ２７では、記憶部２７の記憶情報に基づいて感熱層３の表示情報を書換えるか否かを判定し、書換えの必要ありと判定された場合は、ステップ２８に進む。
【００４８】
ステップ２８では、全ての印刷情報を書換えるか否かを判定し、全面書換えと判定された場合は、ステップ２９に進み、サーマルヘッド２３Ａを制御して全面書換えを実行し、その後、ステップ３１でカードの返却動作を行う。
【００４９】
ステップ３１，３２で、磁気データの読取り及び書込みの処理が正常でないと判定された場合は、ステップ３０に進み、カードを返却する。また、ステップ２８の判定がＮＯでステップ３３へ進んだ場合は、感熱層３の表示情報の一部を書き換えた後、ステップ３３に進んでカードを返却する。
【００５０】
かかる本実施形態の複合表示カード処理装置２０によれば、情報表示部２と感熱層３を備える複合表示カード１に対して、磁気処理と感熱印刷処理を１台の処理装置で行うことができる。また、感熱層３はカード１の表面全体に設けられており、感熱印刷処理の際に、情報表示部２上面に対してもサーマルヘッド２３Ａの加圧力が作用する。しかし、情報表示部２は空洞になっており、サーマルヘッド２３Ａからの加圧力が情報表示部２上面に作用しても、図９の点線で示すように感熱層３が密閉空間部１２側（図の下側）に撓み加圧力が逃げる。従って、感熱層３に十分な熱エネルギが伝達されず情報表示部２に相当する部分の感熱層３に印刷されることはない。
【００５１】
尚、図４の左端部にカード供給用のホッパーを設け、ホッパーからカードを供給する際には、光センサ２４ｆのカード検出出力によりモータ２５ｄが駆動されてカードの搬送が開始される。また、光センサ２４ｅからのカード検出出力に基づいてサーマルヘッド２３Ａの印刷タイミングが制御されるようになる。
【００５２】
【発明の効果】
以上説明したように、本発明の複合表示カードによれば、磁気作用を利用した情報表示部と印刷可能な感熱層の両方を備えた構成としたので、従来の可視磁気カードに比べて情報の表示量を格段に増大できると共に、漢字、ひらがなによる情報表示も可能である。また、感熱層には書換え頻度の低い半固定の情報を表示し、書換え頻度の高い情報は情報表示部に表示して情報の書換え処理は主に情報表示部側で行うことにより、感熱層を利用した従来のリライトカードに比べて書換え処理の迅速化が図れると共に、書換えの耐用回数が増大してカードの使用寿命を延ばすことが可能となる。
【００５３】
また、本発明の複合表示カード処理装置によれば、磁気作用を利用した情報表示部に対する磁気処理と感熱層に対する感熱処理を１台で行うことができる。
【図面の簡単な説明】
【図１】本発明に係る複合表示カードの一実施形態を示す外観図
【図２】同上実施形態の断面構造を示す断面図
【図３】本発明に係る複合表示カード処理装置の一実施形態を示すブロック図
【図４】同上実施形態の搬送部の構成を示す概略図
【図５】同上実施形態のカード発行時の処理動作を示すフローチャート
【図６】感熱層に印刷する場合の処理方法の説明図
【図７】同上実施形態のカード発行時の別の処理動作を示すフローチャート
【図８】同上実施形態の発行済みカードの処理動作を示すフローチャート
【図９】カード表面に対するサーマルヘッドの加圧状態の説明図
【符号の説明】
１    複合表示カード
２    情報表示部
３    感熱層
６    コア層フィルム
６ａ    孔部
８    磁気媒体層
１２    密閉空間部
１２ａ    窓部
１３    磁性粒子
２０    複合表示カード処理装置
２１    制御部
２２    磁気処理部
２３    感熱処理部
２４    カード一検出部
２５    カード搬送部
【図１】
2004192249.tif 000003
【図２】
2004192249.tif 000004
【図３】
2004192249.tif 000005
【図４】
2004192249.tif 000006
【図５】
2004192249.tif 000007
【図６】
2004192249.tif 000008
【図７】
2004192249.tif 000009
【図８】
2004192249.tif 000010
【図９】
2004192249.tif 000011